(57)【特許請求の範囲】
【請求項１】
音声を出力可能な音声出力部と、
着火器に対する着火操作に応じて該着火器から送信される第１信号を受信する通信部と、
前記第１信号の受信に応じて、音声を前記音声出力部に出力させる制御部と、
を備え、
前記制御部は、前記第１信号の受信回数を計測し、計測された前記受信回数に応じて異なる音声を前記音声出力部に出力させる、端末装置。
【請求項２】
請求項１に記載の端末装置であって、
前記通信部は、ネットワークを介して通信可能であり、
前記制御部は、計測された前記受信回数が所定値となった場合、前記ネットワークからストリーミングで取得した音声を前記音声出力部に出力させる、端末装置。
【請求項３】
請求項２に記載の端末装置であって、
前記ネットワークからストリーミングで取得される前記音声は、ユーザが所有権を有していない音声データに係る音声である、端末装置。
【請求項４】
請求項１乃至３の何れか一項に記載の端末装置であって、
前記通信部は、ネットワークを介して通信可能であり、
前記通信部は、前記着火器に対する前記着火操作の操作時間に応じて前記着火器から送信される第２信号を受信し、
前記制御部は、前記第２信号の受信に応じて、所定のサービスに対応するメッセージ情報を生成し、該サービスを提供するサーバへ該メッセージ情報を送信する、端末装置。
【請求項５】
請求項１乃至４の何れか一項に記載の端末装置であって、
地図のデータと、該地図上の喫煙可能エリアを示すデータと、を含むマップ情報を記憶する記憶部と、
画面を表示可能な表示部と、
を更に備え、
前記制御部は、前記マップ情報及びユーザの位置情報に基づく第１画面を前記表示部に表示させる、端末装置。
【請求項６】
請求項５に記載の端末装置であって、
前記制御部は、前記マップ情報及び前記ユーザの位置情報に基づいて前記ユーザが喫煙可能エリア外に位置するか否かを判定し、前記ユーザが喫煙可能エリア外に位置すると判定された場合、前記ユーザの位置から喫煙可能エリアまでの経路に関する情報を前記表示部に表示させる、端末装置。
【請求項７】
請求項１乃至６の何れか一項に記載の端末装置であって、
地図のデータを含むマップ情報と、ユーザの嗜好品に関する嗜好品情報と、を記憶する記憶部と、
画面を表示可能な表示部と、
を更に備え、
前記制御部は、他のユーザの位置情報及び嗜好品情報を、前記通信部を介してサーバ装置から取得し、前記マップ情報と、前記ユーザの位置情報及び前記嗜好品情報と、前記他のユーザの位置情報及び前記嗜好品情報と、に基づく第２画面を前記表示部に表示させる、端末装置。
【請求項８】
請求項７に記載の端末装置であって、
前記制御部は、前記第１信号の受信に応じて、前記ユーザの位置情報を前記サーバ装置へ送信する、端末装置。
【請求項９】
請求項７又は８に記載の端末装置であって、
前記制御部は、前記第２画面において、前記ユーザの前記嗜好品情報と所定の相対関係を有する嗜好品情報に対応する他のユーザの位置を表示させる、端末装置。
【発明の詳細な説明】
【技術分野】
【０００１】
本発明は、端末装置及び着火器に関する。
【背景技術】
【０００２】
従来、例えばタバコ又は葉巻等の嗜好品に着火するために、ライタ等の着火器が用いられている。例えば、特許文献１には、ガス噴出ノズルを介して噴出するガスに着火するための圧電ユニットを備えるガスライタが開示されている。また例えば、特許文献２には、タバコの先端に火をつけるための電熱線を備える電熱式ライタが開示されている。
【先行技術文献】
【特許文献】
【０００３】
【特許文献１】特開２０１３−０８８０５２号公報
【特許文献２】特開２０１２−０４２０６７号公報
【発明の概要】
【発明が解決しようとする課題】
【０００４】
従来の着火器は、例えば着火操作用の押圧部を押圧する操作又は電熱線に通電させる通電スイッチの操作等、所定の着火操作によって嗜好品に着火可能である。しかしながら、着火操作によって発揮される機能は嗜好品への着火機能のみである。着火操作によって着火機能が発揮されることはユーザにとって意外性に乏しく、着火器の興趣性が必ずしも高くない。したがって、着火器の興趣性について改善の余地があった。
【０００５】
かかる事情に鑑みてなされた本発明の目的は、着火器の興趣性を向上させる端末装置及び着火器を提供することにある。
【課題を解決するための手段】
【０００６】
上記課題を解決するために本発明に係る端末装置は、
音声を出力可能な音声出力部と、
着火器に対する着火操作に応じて該着火器から送信される第１信号を受信する通信部と、
前記第１信号の受信に応じて、音声を前記音声出力部に出力させる制御部と、を備える
ことを特徴とする。
【０００７】
また、本発明に係る着火器は、
嗜好品に着火する着火機能を有する着火部と、
音声を出力可能な音声出力部と、
前記着火部に着火機能を発揮させる着火操作に応じて、音声を前記音声出力部に出力させる制御部と、を備える
ことを特徴とする。
【発明の効果】
【０００８】
本発明に係る端末装置及び着火器によれば、着火器の興趣性が向上する。
【図面の簡単な説明】
【０００９】
【図１】本発明の第１実施形態に係る情報処理システムの概略構成を示すブロック図である。
【図２】基準回数及び音声情報の対応関係を示す図である。
【図３】図１の着火器の動作を示すフローチャートである。
【図４】図１の端末装置の動作を示すフローチャートである。
【図５】本発明の第２実施形態に係る端末装置に表示される第１画面の例を示す図である。
【図６】第２実施形態に係る端末装置の動作を示すフローチャートである。
【図７】本発明の第３実施形態に係るユーザＩＤ、位置情報、及び嗜好品情報の対応関係を示す図である。
【図８】第３実施形態に係る端末装置に表示される第２画面の第１の例を示す図である。
【図９】第３実施形態に係る端末装置に表示される第２画面の第２の例を示す図である。
【図１０】第３実施形態に係る端末装置の動作を示すフローチャートである。
【発明を実施するための形態】
【００１０】
以下、本発明の実施形態について説明する。
【００１１】
（第１実施形態）
はじめに図１を参照して、本発明の第１実施形態に係る情報処理システム１０について説明する。情報処理システム１０は、サーバ装置１１と、複数の端末装置１２と、複数の着火器１３と、を備える。図１では、説明の簡便のため、複数の端末装置１２及び複数の着火器１３のうちそれぞれ１つのみ図示している。
【００１２】
サーバ装置１１は、例えばコンピュータ等の情報処理装置である。また端末装置１２は、例えば携帯電話、スマートフォン、又はＰＣ等の情報処理装置である。また着火器１３は、例えばタバコ及び葉巻等の嗜好品に着火するための着火機能を有し、又は既存のライタ製品を収容可能なハウジングとして機能する電子機器である。本実施形態において、サーバ装置１１と、複数の端末装置１２それぞれとは、例えばインターネット等のネットワーク１４を介して通信可能に接続される。また、端末装置１２と、着火器１３とは、例えばＢｌｕｅｔｏｏｔｈ（登録商標）等の近距離無線通信を介して通信可能に接続される。サーバ装置１１、端末装置１２、及び着火器１３は、上述したネットワーク１４又は近距離無線通信に限られず、任意の通信技術を用いて通信可能に接続されてもよい。
【００１３】
概略として、本実施形態に係る情報処理システム１０において、ユーザが着火器１３に対して行った着火操作に応じて、端末装置１２から所定の音声が再生される。音声の再生は、端末装置１２に限られず、例えば着火器１３が実行してもよい。
【００１４】
次に、情報処理システム１０の各構成要素の詳細について説明する。
【００１５】
まず、サーバ装置１１について説明する。サーバ装置１１は、サーバ通信部１５と、サーバ記憶部１６と、サーバ制御部１７と、を備える。
【００１６】
サーバ通信部１５は、有線又は無線でネットワーク１４に接続され、ネットワーク１４に接続された外部装置との間で情報の送受信を行うインターフェースを含む。例えばサーバ通信部１５は、ネットワーク１４を介して端末装置１２との間で通信を行う。
【００１７】
サーバ記憶部１６は、例えば記憶装置を含み、サーバ装置１１の動作に必要な種々の情報及びプログラムを記憶する。サーバ記憶部１６に記憶される情報及びプログラムは、予め記憶されていてもよく、サーバ通信部１５を介してネットワーク１４から受信して記憶されてもよい。
【００１８】
例えばサーバ記憶部１６は、情報処理システム１０の各ユーザに関する情報を記憶する。ユーザに関する情報は、例えば当該ユーザのユーザ名又はユーザＩＤ等を含む。ユーザに関する情報に基づいて、サーバ装置１１は、通信を行う端末装置１２のユーザを識別可能である。ユーザに関する情報は、上述したものに限られず、ユーザに関する任意の情報を含んでもよい。例えばユーザに関する情報は、ユーザが所有権を有していない音声データ（例えば、未購入の楽曲データ）を識別可能な情報を含んでもよい。
【００１９】
またサーバ記憶部１６は、例えば図２に示すように、基準回数及び音声情報を対応付けて含む対応情報をユーザ毎に記憶する。後述するように対応情報は、サーバ制御部１７によって生成され、定期的に又は所定のタイミングで端末装置１２へ送信される。
【００２０】
ここで基準回数は、後述するように着火器１３から送信される第１信号を端末装置１２が受信した回数と比較するために、端末装置１２において用いられる。また音声情報は、後述するように、対応する基準回数と第１信号の受信回数とが等しくなった場合に端末装置１２に出力させる音声に関する情報である。音声情報は、音声データそのものであってもよく、或いは音声データのネットワーク１４上の位置を示す情報（例えば、ＵＲＬ等）であってもよい。また音声情報は、音声データのネットワーク１４上の位置を示す情報と、当該音声データの取得方法（例えば、ダウンロード又はストリーミング）を指定する情報と、の組み合わせであってもよい。
【００２１】
例えば図２では、３個の基準回数（１回、５回、及び１０回）及び３個の音声情報が示されるが、基準回数及び音声情報それぞれの個数は任意に定められてもよい。
【００２２】
サーバ制御部１７は、例えば専用のプロセッサ又は特定のプログラムを読み込むことによって特定の機能を実現するＣＰＵを含む。サーバ制御部１７は、サーバ装置１１全体の動作を制御する。例えばサーバ制御部１７は、サーバ通信部１５を介して情報の送受信を行う。
【００２３】
またサーバ制御部１７は、対応情報を生成してサーバ記憶部１６に記憶する。
【００２４】
好適には、サーバ制御部１７は、複数個の基準回数にそれぞれ異なる音声に関する音声情報を対応付けて、対応情報を生成する。
【００２５】
また好適には、サーバ制御部１７は、複数個の基準回数それぞれに、ユーザが所有権を有していない音声データに対応する音声情報を優先的に対応付けて、対応情報を生成する。具体的には、サーバ制御部１７は、サーバ記憶部１６に記憶された情報に基づいて、多様な音声データのうちユーザが所有権を有していない音声データを識別する。そしてサーバ制御部１７は、識別された音声データに対応する音声情報を優先的に基準回数に対応付ける。
【００２６】
ここで、ユーザが所有権を有していない音声データに対応する音声情報は、当該音声データのＵＲＬと、音声データの取得方法としてストリーミングを指定する情報と、を含むことが好適である。かかる構成によって、後述するようにサーバ装置１１から対応情報を受信した端末装置１２において、取得されるべき音声データの所有権をユーザが有していない場合、ネットワーク１４から当該音声データがストリーミングによって取得される。
【００２７】
またサーバ制御部１７は、サーバ記憶部１６に記憶した対応情報を、定期的に又は所定のタイミングで端末装置１２へ送信する。
【００２８】
次に、端末装置１２について説明する。端末装置１２は、端末通信部１８と、音声出力部１９と、表示部２０と、位置情報取得部２１と、端末記憶部２２と、端末制御部２３と、を備える。
【００２９】
端末通信部１８は、有線又は無線でネットワーク１４に接続され、ネットワーク１４に接続された外部装置との間で情報の送受信を行うインターフェースを含む。例えば端末通信部１８は、ネットワーク１４を介してサーバ装置１１との間で通信を行う。また端末通信部１８は、ネットワーク１４上の任意の外部装置、例えばソーシャルネットワーキングサービス又は電子メールサービス等の所定のネットワークサービスを提供する外部サーバとの間で通信を行ってもよい。
【００３０】
また端末通信部１８は、例えばＢｌｕｅｔｏｏｔｈ（登録商標）等の近距離無線通信を介して外部装置との間で情報の送受信を行うインターフェースを更に含む。例えば端末通信部１８は、近距離無線通信を介して着火器１３との間で通信を行う。
【００３１】
音声出力部１９は、例えばスピーカを含み、音声データに係る音声を出力可能である。
【００３２】
表示部２０は、例えば液晶ディスプレイ又は有機ＥＬディスプレイ等の表示デバイスを含む。また表示部２０は、タッチパネルと一体的に設けられ、ユーザの操作を受け付けるインターフェースとしても機能する。
【００３３】
位置情報取得部２１は、例えばＧＰＳモジュールを含み、位置情報取得部２１が搭載された端末装置１２の位置情報を取得する。本実施形態において、位置情報取得部２１が取得した位置情報を、ユーザの位置情報ともいう。
【００３４】
端末記憶部２２は、例えば記憶装置を含み、端末装置１２の動作に必要な種々の情報及びプログラムを記憶する。端末記憶部２２に記憶される情報及びプログラムは、予め記憶されていてもよく、端末通信部１８を介してネットワーク１４又は着火器１３から受信して記憶されてもよい。
【００３５】
端末制御部２３は、例えば専用のプロセッサ又は特定のプログラムを読み込むことによって特定の機能を実現するＣＰＵを含む。端末制御部２３は、サーバ装置１１全体の動作を制御する。例えばサーバ制御部１７は、サーバ通信部１５を介して情報の送受信を行う。
【００３６】
また端末制御部２３は、基準回数及び音声情報を対応付けて含む対応情報を端末記憶部２２に記憶させる。本実施形態において、対応情報は、上述したようにサーバ装置１１から受信されるが、端末記憶部２２に予め記憶されてもよい。
【００３７】
また端末制御部２３は、後述するように着火器１３から送信された信号の受信に応じて、所定の処理を行う。当該処理を行う端末装置１２の動作の詳細については後述する。
【００３８】
次に、着火器１３について説明する。図１に示すように、着火器１３は、着火器通信部２４と、着火部２５と、検出部２６と、着火器制御部２７と、を備える。
【００３９】
着火器通信部２４は、例えばＢｌｕｅｔｏｏｔｈ（登録商標）等の近距離無線通信を介して外部装置との間で情報の送受信を行うインターフェースを含む。本実施形態において着火器通信部２４は、近距離無線通信を介して端末装置１２との間で通信を行う。
【００４０】
着火部２５は、例えば火打石（フリント）及び回転ヤスリを含む構成、放電電極、圧電素子、及び圧電素子に衝撃を与えるハンマを含む構成、又は電熱線を含む構成等、嗜好品への着火機能を有する任意の構成を備える。着火部２５は、所定の着火操作（例えば、回転ヤスリまたはハンマを動作させるスイッチ、又は電熱線に通電させるスイッチを押下する操作）に応じて着火機能を発揮する。ここで、着火器１３が既存のライタ製品のハウジングとして機能する場合、着火器１３に収容された既存のライタ製品が着火部２５として機能する。
【００４１】
検出部２６は、着火操作が行われたことと、着火操作の操作時間と、を検出可能なセンサを含む。着火操作の操作時間とは、着火操作が行われている状態（例えば、着火部２５に含まれるスイッチが押下された状態）が継続した時間である。
【００４２】
着火器制御部２７は、例えば専用のプロセッサ又は特定のプログラムを読み込むことによって特定の機能を実現するＣＰＵを含む。着火器制御部２７は、着火器１３全体の動作を制御する。例えば着火器制御部２７は、着火器通信部２４を介して情報の送受信を行う。
【００４３】
また着火器制御部２７は、後述するように、着火器１３に対する着火操作に応じて所定の信号、本実施形態では第１信号又は第２信号を端末装置１２へ送信する。
【００４４】
次に、図３に示すフローチャートを参照して、着火操作に応じた着火器１３の動作について具体的に説明する。
【００４５】
ステップＳ１００：はじめに着火器制御部２７は、着火器１３に対する着火操作が行われたか否かを判定する。着火操作が行われたと判定された場合（ステップＳ１００−Ｙｅｓ）、ステップＳ１０１に進む。一方、着火操作が行われていないと判定された場合（ステップＳ１００−Ｎｏ）、着火器制御部２７は、ステップＳ１００を再度実行し、着火操作を待ち受ける。
【００４６】
ステップＳ１０１：ステップＳ１００で着火操作が行われたと判定された場合（ステップＳ１００−Ｙｅｓ）、着火器制御部２７は、着火操作の継続時間を計測する。
【００４７】
ステップＳ１０２：続いて着火器制御部２７は、ステップＳ１０１で計測された継続時間が所定の閾値未満であるか否かを判定する。所定の閾値は、予め設定された値であってもよく、ユーザが適宜に設定可能であってもよい。継続時間が閾値未満であると判定された場合（ステップＳ１０２−Ｙｅｓ）、ステップＳ１０３に進む。一方、継続時間が閾値以上であると判定された場合（ステップＳ１０２−Ｎｏ）、ステップＳ１０４に進む。
【００４８】
ステップＳ１０３：ステップＳ１０２で継続時間が閾値未満であると判定された場合（ステップＳ１０２−Ｙｅｓ）、着火器制御部２７は、第１信号を端末装置１２へ送信する。
【００４９】
ステップＳ１０４：一方、ステップＳ１０２で継続時間が閾値以上であると判定された場合（ステップＳ１０２−Ｎｏ）、着火器制御部２７は、第２信号を端末装置１２へ送信する。
【００５０】
このように、着火器１３に対する着火操作の操作時間に応じて、第１信号又は第２信号が端末装置１２へ送信される。
【００５１】
次に、図４に示すフローチャートを参照して、着火器１３から送信された信号の受信に応じた端末装置１２の動作について具体的に説明する。
【００５２】
ステップＳ２００：はじめに端末制御部２３は、着火器１３から第１信号を受信したか否かを判定する。第１信号を受信したと判定された場合（ステップＳ２００−Ｙｅｓ）、ステップＳ２０１に進む。一方、第１信号を受信していないと判定された場合（ステップＳ２００−Ｎｏ）、ステップＳ２０４に進む。
【００５３】
ステップＳ２０１：ステップＳ２００で第１信号を受信したと判定された場合（ステップＳ２００−Ｙｅｓ）、端末制御部２３は、第１信号の受信回数を計測する。具体的には、端末制御部２３は、第１信号の受信回数をインクリメントして、端末記憶部２２に記憶する。
【００５４】
ステップＳ２０２：続いて端末制御部２３は、ステップＳ２０１で計測された受信回数が、端末記憶部２２に記憶された対応情報に含まれる何れかの基準回数と等しいか否かを判定する。受信回数が何れかの基準回数と等しいと判定された場合（ステップＳ２０２−Ｙｅｓ）、ステップＳ２０３に進む。一方、受信回数が何れの基準回数とも異なると判定された場合（ステップＳ２０２−Ｎｏ）、ステップＳ２００に戻る。
【００５５】
ステップＳ２０３：ステップＳ２０２で受信回数が何れかの基準回数と等しいと判定された場合（ステップＳ２０２−Ｙｅｓ）、端末制御部２３は、受信回数に等しい基準回数に対応する音声情報に係る音声を、音声出力部１９に出力させる。その後、ステップＳ２００に戻る。
【００５６】
ここで、音声情報が音声データそのものである場合、端末制御部２３は、当該音声データから音声を再生して音声出力部１９に出力させる。一方、音声情報が音声データのネットワーク１４上の位置を示す情報（例えば、ＵＲＬ）及び音声データの取得方法（例えば、ダウンロード又はストリーミング）を指定する情報を含む場合、当該音声データを指定された取得方法（ダウンロード又はストリーミング）によってネットワーク１４から取得し、取得された音声データから音声を再生して音声出力部１９に出力させる。
【００５７】
ステップＳ２０４：ステップＳ２００で第１信号を受信していないと判定された場合（ステップＳ２００−Ｎｏ）、端末制御部２３は、着火器１３から第２信号を受信したか否かを判定する。第２信号を受信したと判定された場合（ステップＳ２０４−Ｙｅｓ）、ステップＳ２０５に進む。一方、第２信号を受信していないと判定された場合（ステップＳ２０４−Ｎｏ）、ステップＳ２００に戻る。
【００５８】
ステップＳ２０５：ステップＳ２０４で第２信号を受信したと判定された場合（ステップＳ２０４−Ｙｅｓ）、端末制御部２３は、メッセージ情報を生成する。メッセージ情報は、ネットワークサービスに対応する情報であって、例えばユーザが加入するソーシャルネットワーキングサービスに投稿するための情報、又は電子メールとして送信するための情報等を含む。具体的には、メッセージ情報は、着火操作が行われたことを示す情報、着火操作が行われた時刻（例えば、第２信号が受信された時刻）を示す時刻情報、当該時刻におけるユーザの位置情報（例えば、当該時刻に位置情報取得部２１が取得した位置情報）、当該位置情報に対応する施設情報（例えば、ユーザの近傍に位置する施設又は店舗の情報）、及び所定のメディアデータ（例えば、テキストデータ、音声データ、又は画像データ）等を含み得るが、メッセージ情報は任意の情報を含んでもよい。
【００５９】
ステップＳ２０６：そして端末制御部２３は、ステップＳ２０５で生成されたメッセージ情報を、所定のネットワークサービスを提供する外部サーバへ送信する。送信されたメッセージ情報は、例えば当該ソーシャルネットワーキングサービスに登録したユーザ又は電子メールの宛先のユーザ等によって閲覧可能である。その後、ステップＳ２００に戻る。
【００６０】
以上述べたように、第１実施形態に係る情報処理システム１０において、端末装置１２は、着火器１３に対する着火操作に応じて着火器１３から送信される第１信号を受信し、第１信号の受信に応じて音声を出力する。かかる構成によれば、着火操作に応じて、嗜好品への着火機能に加え、音声の出力機能が発揮される。着火操作に応じて音声の出力機能が発揮されることは、着火機能が発揮されることと比較してユーザにとって意外性が高いため、着火器１３の興趣性が向上する。
【００６１】
好適には、端末装置１２は、第１信号の受信回数を計測し、計測された受信回数に応じて異なる音声を出力する。かかる構成によって、例えば計測された受信回数が基準回数に等しくなる度に同一の音声が出力される構成と比較して、音声の出力機能の意外性が更に増加し、着火器１３の興趣性が更に向上する。
【００６２】
また好適には、端末装置１２は、ネットワーク１４からストリーミングで取得した音声データに係る音声を出力する。このため、ユーザの端末装置１２に音声データが恒久的に記憶されることが抑制される。かかる構成は、ユーザが所有権を有していない音声データ、例えばユーザが未購入の楽曲データに係る音声を出力させる場合に特に好適である。即ち、ユーザが未購入の楽曲データが端末装置１２に恒久的に記憶されず、ユーザによる楽曲データの自由な使用が抑制されるので、例えば楽曲データに係る楽曲をユーザに試聴させることができる。このように、ユーザは、着火器１３に対する着火操作に応じて未購入の楽曲データに係る楽曲を試聴可能である。したがって、ユーザにとって新たな楽曲を試聴する機会が増加するので、試聴された楽曲に係る楽曲データを購入する動機付けをユーザに与え、ユーザによる楽曲データの購入を促進可能である。
【００６３】
また好適には、端末装置１２は、着火器１３に対する着火操作の操作時間に応じて着火器１３から送信される第２信号の受信に応じて、メッセージ情報の生成及び送信を行う。かかる構成によれば、着火操作に応じて、嗜好品への着火機能及び音声の出力機能に加え、メッセージ情報の送信機能が更に発揮される。着火操作に応じてメッセージ情報の送信機能が発揮されることは、着火機能が発揮されることと比較してユーザにとって意外性が高いため、着火器１３の興趣性が更に向上する。
【００６４】
（第２実施形態）
次に、本発明の第２実施形態に係る情報処理システム１０について説明する。上述した第１実施形態と同一の構成については同一の符号を付し、説明は省略する。第２実施形態に係る情報処理システム１０は、第１実施形態と同様に、サーバ装置１１と、端末装置１２と、着火器１３と、を備える。概略として、第２実施形態に係る情報処理システム１０は、端末装置１２がマップ情報及びユーザの位置情報に基づく第１画面を表示する点で、第１実施形態と異なる。以下、詳細に説明する。
【００６５】
第２実施形態において、サーバ装置１１のサーバ記憶部１６は、地図のデータ（地図データ）と、当該地図上の喫煙可能エリアを示すデータ（喫煙可能エリアデータ）と、を含むマップ情報を記憶する。
【００６６】
端末装置１２の端末制御部２３は、マップ情報をサーバ装置１１から取得して端末記憶部２２に記憶する。或いは、マップ情報は、ネットワーク１４を介して外部サーバから取得されてもよく、端末記憶部２２に予め記憶されてもよい。
【００６７】
また端末制御部２３は、端末記憶部２２に記憶されたマップ情報と、端末装置１２のユーザの位置情報、即ち位置情報取得部２１によって取得された位置情報と、に基づく第１画面を表示する。
【００６８】
ここで図５を参照して、第１画面について具体的に説明する。第１画面には、地図画像２８と、ユーザ位置画像２９と、が表示される。また第１画面には、喫煙可能エリア画像３０が表示され得る。
【００６９】
地図画像２８は、マップ情報に含まれる地図データに基づき、端末制御部２３によって描画される地図の画像である。
【００７０】
ユーザ位置画像２９は、ユーザの位置情報に基づき、端末制御部２３によって、例えば地図画像２８上に重畳して描画される画像である。ユーザ位置画像２９は、地図上におけるユーザの位置を示す。
【００７１】
喫煙可能エリア画像３０は、マップ情報に含まれる喫煙可能エリアデータに基づき、端末制御部２３によって例えば地図画像２８に重畳して描画される画像である。喫煙可能エリア画像３０は、地図上における例えば喫煙所又は喫煙が許可された施設等の喫煙可能エリアを示す。喫煙可能エリア画像３０は、例えば図５に示すように一定の面積を有する画像であってもよく、或いは地図上の一点を指し示す画像であってもよい。
【００７２】
また端末制御部２３は、第１画面上に経路情報を表示させる。経路情報は、ユーザの位置から喫煙可能エリアまでの経路に関する情報である。例えば図５において、経路情報は、ユーザ位置画像２９から喫煙可能エリア画像３０までの経路を矢印３１で示す態様で表示されている。
【００７３】
経路情報の表示態様はこれに限られず、例えばテキスト又は通路の画像等を用いて当該経路を説明する表示態様であってもよい。かかる場合、経路情報は、例えば第１画面上に重畳して（例えば、ダイアログ又はポップアップによって）表示されてもよく、或いは第１画面から切り替わった他の画面上に表示されてもよい。
【００７４】
次に、図６のフローチャートを参照して、第１画面を表示する端末装置１２の動作について具体的に説明する。本動作は、例えば端末装置１２が着火器１３から第１信号又は第２信号を受信した場合に実行されてもよく、端末装置１２に対する所定のユーザ操作が検出された場合に実行されてもよい。
【００７５】
ステップＳ３００：はじめに端末制御部２３は、位置情報取得部２１にユーザの位置情報を取得させる。
【００７６】
ステップＳ３０１：続いて端末制御部２３は、マップ情報を例えばサーバ装置１１から取得して、端末記憶部２２に記憶する。上述したように、マップ情報には、地図データ及び喫煙可能エリアデータが含まれる。
【００７７】
ステップＳ３０２：続いて端末制御部２３は、ステップＳ３００で取得されたユーザの位置情報と、ステップＳ３０１で取得されたマップ情報と、に基づく第１画面を表示部２０に表示させる。ここで第１画面上には、例えば地図画像２８、ユーザ位置画像２９、及び喫煙可能エリア画像３０が表示される。複数の喫煙可能エリア画像３０が、第１画面上に表示されてもよい。
【００７８】
ステップＳ３０３：続いて端末制御部２３は、マップ情報及びユーザの位置情報に基づいて、ユーザが喫煙可能エリア外に位置するか否かを判定する。ユーザが喫煙可能エリア外に位置すると判定された場合（ステップＳ３０３−Ｙｅｓ）、ステップＳ３０４に進む。一方、ユーザが喫煙可能エリア内に位置すると判定された場合（ステップＳ３０３−Ｎｏ）、本動作が終了する。
【００７９】
ステップＳ３０４：ステップＳ３０３でユーザが喫煙可能エリア外に位置すると判定された場合（ステップＳ３０３−Ｙｅｓ）、端末制御部２３は、表示部２０に経路情報を表示させる。
【００８０】
具体的には、端末制御部２３は、第１画面上に表示させた１以上の喫煙可能エリアのうち何れか１つの喫煙可能エリアを選択する。ここで端末制御部２３は、１以上の喫煙可能エリアのうち、ユーザの位置から最も近い喫煙可能エリアを自動的に選択してもよく、或いは第１画面に対するユーザ操作によって指定された喫煙可能エリアを選択してもよい。そして端末制御部２３は、ユーザの位置から選択された喫煙可能エリアまでの経路情報を生成して、当該経路情報を第１画面上に表示させる。
【００８１】
以上述べたように、第２実施形態に係る情報処理システム１０において、端末装置１２は、マップ情報及びユーザの位置情報に基づく第１画面を表示する。かかる構成によれば、例えばユーザの周辺に存在する喫煙可能エリアをユーザが一見して把握でき、ユーザの利便性が向上する。また、喫煙可能エリアの確認が容易になるので、ユーザに対して喫煙可能エリアを確認する動機付けを与え、ユーザによる分煙を促進可能である。
【００８２】
好適には、端末装置１２は、ユーザが喫煙可能エリア外に位置すると判定された場合、ユーザの位置から喫煙可能エリアまでの経路情報を表示する。かかる構成によれば、喫煙可能エリアへの経路をユーザが一見して把握でき、ユーザの利便性が更に向上する。
【００８３】
（第３実施形態）
次に、本発明の第３実施形態に係る情報処理システム１０について説明する。上述した第１実施形態又は第２実施形態と同一の構成については同一の符号を付し、説明は省略する。第３実施形態に係る情報処理システム１０は、第１実施形態又は第２実施形態と同様に、サーバ装置１１と、端末装置１２と、着火器１３と、を備える。概略として、第３実施形態に係る情報処理システム１０は、端末装置１２が、マップ情報と、ユーザの位置情報及び嗜好品情報と、に基づく第２画面を表示する点で、第１実施形態及び第２実施形態と異なる。以下、詳細に説明する。
【００８４】
第３実施形態において、サーバ装置１１のサーバ記憶部１６は、地図のデータ（地図データ）を含むマップ情報を記憶する。マップ情報は、第２実施形態と同様に、喫煙可能エリアデータを更に含んでもよい。
【００８５】
サーバ制御部１７は、複数のユーザそれぞれの端末装置１２から当該ユーザの位置情報を受信すると、受信された位置情報をユーザＩＤと対応付けてサーバ記憶部１６に記憶する。ここでサーバ記憶部１６に記憶された位置情報、即ち端末装置１２から受信された位置情報は、後述するように、当該端末装置１２のユーザが着火操作を行った地図上の位置を示す。
【００８６】
またサーバ制御部１７は、複数のユーザそれぞれの端末装置１２から、当該ユーザの嗜好品に関する情報（嗜好品情報）を受信すると、受信された嗜好品情報を当該ユーザのユーザＩＤと対応付けてサーバ記憶部１６に記憶する。嗜好品情報は、例えば嗜好品の名称、価格、又は特定成分（例えば、ニコチン）の含有量を示すデータ等、嗜好品に関する任意のデータを含む。
【００８７】
上述のようにして、例えば図７に示すように、ユーザＩＤと、位置情報と、嗜好品情報と、が対応付けられてサーバ記憶部１６に記憶される。
【００８８】
端末装置１２の端末制御部２３は、着火器１３からの第１信号又は第２信号の受信に応じて、位置情報取得部２１に位置情報を取得させ、取得された位置情報をサーバ装置１１へ送信する。ここで、第１実施形態の説明において述べたように、第１信号及び第２信号は何れも着火器１３に対する着火操作に応じて送信される。したがって、端末制御部２３がサーバ装置１１へ送信する位置情報は、ユーザが着火操作を行った地図上の位置、例えばユーザが喫煙を行った蓋然性が高い地図上の位置を示す。
【００８９】
また端末制御部２３は、ユーザの嗜好品情報を生成して端末記憶部２２に記憶する。嗜好品情報は、例えば端末記憶部２２にユーザの嗜好品の購入履歴を示す情報を記憶させておき、当該情報に基づいて自動的に生成されてもよい。或いは嗜好品情報は、嗜好品に関するデータ（例えば、銘柄）を入力するユーザ操作に基づいて生成されてもよい。そして端末制御部２３は、生成された嗜好品情報をサーバ装置１１へ送信する。
【００９０】
このように端末装置１２からサーバ装置１１へ送信されたユーザの位置情報及び嗜好品情報は、上述したようにサーバ装置１１においてユーザＩＤに対応付けて記憶される。
【００９１】
また端末制御部２３は、マップ情報と、自装置のユーザとは異なる他のユーザの位置情報及び嗜好品情報と、をサーバ装置１１から取得して、端末記憶部２２に記憶する。また端末制御部２３は、他のユーザに関する情報（例えば、他のユーザのユーザ名）をサーバ装置１１から取得して端末記憶部２２に記憶してもよい。各情報の取得は、定期的に又は所定のタイミングで自動的に行われてもよく、或いは所定のユーザ操作に応じて行われてもよい。
【００９２】
また端末制御部２３は、マップ情報と、自装置のユーザの位置情報及び嗜好品情報と、取得された他のユーザの位置情報及び嗜好品情報と、に基づく第２画面を表示する。
【００９３】
ここで図８を参照して、第２画面について具体的に説明する。第２画面には、地図画像２８と、ユーザ位置画像２９と、が表示される。また第２画面には、他のユーザ位置画像３２が表示され得る。またマップ情報に喫煙可能エリアデータが含まれる場合、第２画面には、第２実施形態と同様に喫煙可能エリア画像３０が表示され得る。
【００９４】
他のユーザ位置画像３２は、他のユーザの位置情報に基づき、端末制御部２３によって、例えば地図画像２８上に重畳して描画される画像である。他のユーザ位置画像３２は、他のユーザの位置情報に係る位置を示す。
【００９５】
好適には、１以上の他のユーザのうち、ユーザの嗜好品情報と所定の相対関係を有する嗜好品情報に対応する他のユーザに係る他のユーザ位置画像３２が、第２画面に表示される。具体的には、端末制御部２３は、サーバ装置１１から取得された１以上の他のユーザの嗜好品情報と、ユーザの嗜好品情報と、を比較する。続いて端末制御部２３は、ユーザの嗜好品情報と所定の相対関係を有する嗜好品情報に対応する他のユーザを識別する。例えば、ユーザと同一の嗜好品情報が対応付けられた他のユーザ（例えば、銘柄が同一である他のユーザ）が識別されてもよい。また例えば、ユーザと類似する嗜好品情報が対応付けられた他のユーザ（例えば、所定成分の含有量の差が所定値未満である他のユーザ）が識別されてもよい。
【００９６】
また端末制御部２３は、マップ情報に喫煙可能エリアデータが含まれる場合、第２実施形態と同様にして、第２画面上に経路情報を表示させてもよい。
【００９７】
また端末制御部２３は、例えば図９に示すように、他のユーザの嗜好品情報（例えば、銘柄）及び他のユーザに関する情報（例えば、ユーザ名）の少なくとも一方を表示部２０に表示させてもよい。具体的には、端末制御部２３は、第２画面上の他のユーザ位置画像３２を指定するユーザ操作（例えば、他のユーザ位置画像３２をタップする操作）に応じて、指定された他のユーザ位置画像３２に対応する他のユーザの嗜好品情報及び他のユーザに関する情報の少なくとも一方を表示部２０に表示させる。他のユーザの嗜好品情報及び他のユーザに関する情報は、例えば第２画面上に重畳して（例えば、ダイアログ又はポップアップによって）表示されてもよく、或いは第２画面から切り替わった他の画面上に表示されてもよい。
【００９８】
次に、図１０のフローチャートを参照して、第２画面を表示する端末装置１２の動作について具体的に説明する。本動作は、例えば端末装置１２が着火器１３から第１信号又は第２信号を受信した場合に実行されてもよく、端末装置１２に対する所定のユーザ操作が検出された場合に実行されてもよい。また、本動作の開始時点においてユーザの嗜好品情報が端末記憶部２２に記憶されているものとして説明する。
【００９９】
ステップＳ４００：はじめに端末制御部２３は、位置情報取得部２１にユーザの位置情報を取得させる。
【０１００】
ステップＳ４０１：続いて端末制御部２３は、マップ情報を例えばサーバ装置１１から取得して、端末記憶部２２に記憶する。
【０１０１】
ステップＳ４０２：続いて端末制御部２３は、１以上他のユーザの位置情報及び嗜好品情報をサーバ装置１１から取得する。
【０１０２】
ステップＳ４０３：続いて端末制御部２３は、ステップＳ４０２における１以上の他のユーザのうち、ユーザの嗜好品情報と所定の相対関係を有する嗜好品情報に対応する他のユーザを識別する。
【０１０３】
ステップＳ４０４：そして端末制御部２３は、端末記憶部２２に記憶されたユーザの嗜好品情報と、ステップＳ４００で取得されたユーザの位置情報と、ステップＳ４０１で取得されたマップ情報と、ステップＳ４０３で識別された他のユーザの位置情報及び嗜好品情報と、に基づく第２画面を表示部２０に表示させる。ここで第２画面上には、例えば地図画像２８、ユーザ位置画像２９、喫煙可能エリア画像３０、及び他のユーザ位置画像３２が表示される。端末制御部２３は、第２画面を表示させた後、上述した第２実施形態と同様に経路情報を更に表示させてもよい。
【０１０４】
以上述べたように、第３実施形態に係る情報処理システム１０において、端末装置１２は、他のユーザの位置情報及び嗜好品情報をサーバ装置１１から取得する。また端末装置１２は、マップ情報と、自装置のユーザの位置情報及び嗜好品情報と、他のユーザの位置情報及び嗜好品情報と、に基づく第２画面を表示する。かかる構成によれば、例えばユーザの周辺に存在する他のユーザの位置をユーザが視認可能となる。
【０１０５】
好適には、端末装置１２は、着火器１３からの第１信号又は第２信号の受信に応じて、ユーザの位置情報をサーバ装置１１へ送信する。かかる構成において、サーバ装置１１に記憶される各ユーザの位置情報は、当該ユーザが喫煙を行った蓋然性が高い位置を示す。このため、ユーザは、第２画面を介して、例えば他のユーザによって喫煙が行われた地図上の位置を視認可能である。換言すると、第２画面は、他のユーザによって過去に喫煙が行われた蓋然性が高い地図上の位置を示す喫煙マップとして機能する。
【０１０６】
また好適には、端末装置１２は、第２画面において、ユーザの嗜好品情報と所定の相対関係を有する嗜好品情報に対応する他のユーザの位置を表示させる。かかる構成によれば、例えばユーザと同一の銘柄の嗜好品を使用する他のユーザを地図上の位置を識別可能である。
【０１０７】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【０１０８】
例えば、上述した実施形態において、端末装置１２の構成及び機能（端末通信部１８、音声出力部１９、表示部２０、位置情報取得部２１、端末記憶部２２、及び端末制御部２３、並びにこれらの機能）の少なくとも一部を着火器１３に備えさせた構成であってもよい。また例えば、着火器１３の構成及び機能（着火器通信部２４、着火部２５、検出部２６、及び着火器制御部２７、並びにこれらの機能）の少なくとも一部を端末装置１２に備えさせた構成であってもよい。また例えば、端末装置１２と着火器１３とを１つの装置として構成してもよい。
【０１０９】
また、上述した実施形態において、基準回数及び音声情報を対応付けて含む対応情報をサーバ装置１１が生成する構成について説明したが、対応情報を生成する構成はこれに限られない。例えば、端末装置１２の端末制御部２３又はユーザが使用する他の情報処理装置が、ユーザ操作に応じて又は自動的に対応情報を生成し、サーバ装置１１へアップロードする構成であってもよい。また例えば、端末装置１２の端末制御部２３が、ユーザ操作に応じて又は自動的に対応情報を生成し、（サーバ装置１１へアップロードすることなく）端末記憶部２２に記憶する構成であってもよい。
【０１１０】
また、上述した実施形態において、着火器１３が着火操作の操作時間に応じて第１信号又は第２信号を送信する構成について説明したが、着火器１３が送信する信号はこれに限られない。例えば、着火器１３の着火器制御部２７が、着火操作の操作時間を示す信号を端末装置１２へ送信する構成であってもよい。かかる構成において、端末装置１２の端末制御部２３は、受信された信号に示される操作時間が閾値未満である場合には、受信された当該信号が第１信号であると判定する。一方、端末制御部２３は、受信された情報に示される操作時間が閾値以上である場合には、受信された当該信号が第２信号であると判定する。
【０１１１】
また、上述した実施形態において、端末装置１２の端末制御部２３は、ユーザが所有権を有していない音声データをストリーミングによってネットワーク１４から取得した場合、当該音声データに関する情報を表示部２０に表示させてもよい。音声データに関する情報は、例えば楽曲名、アーティスト名、及び当該音声データを購入するための情報（例えば、販売価格、購入ボタン、又はダウンロード販売ページへのリンク等）等を含むが、音声データに関する任意の情報が含まれてもよい。かかる構成によって、ユーザによる音声データの購入を更に促進可能である。
【０１１２】
また、上述した第２実施形態又は第３実施形態において、第１画面又は第２画面を表示する端末装置１２の動作が、端末装置１２が着火器１３から第１信号又は第２信号を受信した場合に実行され、又は端末装置１２に対する所定のユーザ操作が検出された場合に実行される構成について説明したが、他の条件に基づいて当該動作が実行されてもよい。例えば、着火器１３が所定のユーザ操作を受け付けるスイッチを更に備えており、当該スイッチが受け付けたユーザ操作に応じて、着火器１３の着火器制御部２７が第３信号を端末装置１２へ送信してもよい。かかる場合、端末装置１２は、第３信号の受信に応じて、第１画面又は第２画面を表示する上述の動作を実行する。
【０１１３】
また、上述した第２実施形態において、経路情報が表示部２０に表示される構成について説明したが、経路情報が音声データを含んでもよい。かかる場合、端末制御部２３は、経路情報を生成すると、経路情報を表示部２０に表示させることに替えて、又は経路情報を表示部２０に表示させるとともに、経路情報に含まれる音声データ（例えば、経路を案内するための音声データ）に係る音声を再生して音声出力部１９に出力させる。
【０１１４】
また、上述した第３実施形態において、第２画面上に、端末装置１２が過去にサーバ装置１１へ送信した位置情報に係る位置を示す特定画像を表示させてもよい。かかる構成によれば、第２画面上に、端末装置１２のユーザ自身が過去に喫煙した蓋然性が高い地図上の位置が表示される。したがって、第２画面は、ユーザ及び他のユーザによって過去に喫煙が行われた蓋然性が高い地図上の位置を示す喫煙マップとして機能する。或いは、第２画面において、他のユーザ位置画像３２を表示させることなく、特定画像を表示させてもよい。かかる構成によれば、第２画面は、端末装置１２のユーザ自身が過去に喫煙を行った蓋然性が高い地図上の位置を示す喫煙マップとして機能する。
【０１１５】
また、上述した実施形態に係るサーバ装置１１又は端末装置１２として機能させるために、既存のコンピュータ又は携帯電話等の情報処理装置を好適に用いることができる。このような情報処理装置は、実施形態に係るサーバ装置１１又は端末装置１２の各機能を実現する処理内容を記述したプログラムを、装置の記憶部に格納し、装置のＣＰＵによって当該プログラムを読み出して実行させることによって実現可能である。
【符号の説明】
【０１１６】
１０    情報処理システム
１１    サーバ装置
１２    端末装置
１３    着火器
１４    ネットワーク
１５    サーバ通信部
１６    サーバ記憶部
１７    サーバ制御部
１８    端末通信部
１９    音声出力部
２０    表示部
２１    位置情報取得部
２２    端末記憶部
２３    端末制御部
２４    着火器通信部
２５    着火部
２６    検出部
２７    着火器制御部
２８    地図画像
２９    ユーザ位置画像
３０    喫煙可能エリア画像
３１    矢印
３２    他のユーザ位置画像
【図１】
0006707253.tif 000002
【図２】
0006707253.tif 000003
【図３】
0006707253.tif 000004
【図４】
0006707253.tif 000005
【図５】
0006707253.tif 000006
【図６】
0006707253.tif 000007
【図７】
0006707253.tif 000008
【図８】
0006707253.tif 000009
【図９】
0006707253.tif 000010
【図１０】
0006707253.tif 000011